(57)【要約】【課題】ＬＥＤ及び蛍光体で発生する熱の放熱性を向上させるとともに光出力を向上させた照明器具を提供する。【解決手段】照明器具Ａは、器具本体２１と、複数のＬＥＤ４が実装された基板２と、ＬＥＤ４から照射された光を透過させる透光パネル３と、透光パネル３に保持されＬＥＤ４から照射された光を色変換する蛍光膜５と、器具本体２１に設けられ、ＬＥＤ４から照射された光の一部を外部に出射させる導光板１４、１５とを備えている。ＬＥＤ４の前面側には、ガラス製の透光パネル３がＬＥＤ４と所定の間隔を空けて配設され、この透光パネル３の上面には蛍光体収納凹部３ｂが設けられており、蛍光体を塗布することにより蛍光膜５が形成されている。この照明器具Ａでは、ＬＥＤ４から照射された青色光の一部が蛍光膜５で黄色光に変換され、青色光と黄色光とが混色された白色光が外部に照射される。【選択図】図１
2008218238.tif 000002
【特許請求の範囲】
【請求項１】
ＬＥＤと、透明材料からなりＬＥＤからの光の照射方向においてＬＥＤと離間して配設されるパネルと、ＬＥＤ及びパネルが取着される器具本体と、パネルに保持されＬＥＤの照射光のうち少なくとも一部を所望の色温度の光に色変換する蛍光体とを備えたことを特徴とする照明器具。
【請求項２】
前記透明材料は、ガラスであることを特徴とする請求項１記載の照明器具。
【請求項３】
前記パネルにおける前記ＬＥＤと反対側の表面に、光を偏光させる凹凸部を設けたことを特徴とする請求項１又は２の何れか１項に記載の照明器具。
【請求項４】
前記パネルにおける前記ＬＥＤと反対側の表面に、光を偏光させる偏光シートを設けたことを特徴とする請求項１又は２の何れか１項に記載の照明器具。
【請求項５】
前記器具本体において前記パネルの取付部位以外の部位に、前記ＬＥＤの照射光の一部を外部に出射させるための光透過部を設けたことを特徴とする請求項１〜４の何れか１項に記載の照明器具。
【発明の詳細な説明】
【技術分野】
【０００１】
本発明は、ＬＥＤを用いた照明器具に関するものである。
【背景技術】
【０００２】
従来より、白色ＬＥＤを用いた照明器具があった。この照明器具で用いられるＬＥＤは、ＬＥＤチップを覆うパッケージに蛍光体を保持させ、ＬＥＤチップから照射された光を蛍光体で白色光に色変換して外部に照射している。この照明器具では、ＬＥＤチップの光出力が高くなるにつれて、蛍光体での色変換の際の損失により発生する熱で蛍光体温度が上昇し、それに伴ってＬＥＤチップの温度も上昇するため、ＬＥＤチップの出力効率が低下し十分な光出力が得られない場合があった。
【０００３】
そこで、ＬＥＤチップの温度上昇を抑制するために、ＬＥＤチップの光の照射方向に拡散透過板を配置し、その内側面に蛍光体を塗布した照明器具が提案されている（例えば特許文献１参照）。この照明器具は、透明な電気絶縁体でそれぞれ覆われた複数のＬＥＤチップを有しており、これらのＬＥＤチップの光の照射方向には薄板状の拡散透過板がＬＥＤチップとの間に所定の間隔を空けて配設されている。また、この拡散透過板においてＬＥＤチップと対向する側の面には、ＬＥＤチップからの光を所望の色温度の光に色変換するための蛍光体が塗布されている。この照明器具では、蛍光体での色変換の際に発生する熱により蛍光体が温度上昇した場合でも、蛍光体がＬＥＤチップから離れた位置に配設されているので、ＬＥＤチップの温度上昇を抑えることができる。
【特許文献１】特開２０００−３０５２１号公報（段落[００１５]−[００１７]、段落[００２６]−[００２７]、及び、第９図）
【発明の開示】
【発明が解決しようとする課題】
【０００４】
上述の特許文献１に示した照明器具では、ＬＥＤチップから照射された光は、蛍光体で色変換される際に同時に拡散され、さらに拡散透過板で拡散されるので、２重に拡散されることで十分な光出力が得られない場合があった。
【０００５】
本発明は上記問題点に鑑みて為されたものであり、その目的とするところは、ＬＥＤ及び蛍光体で発生する熱の放熱性を向上させるとともに光出力を向上させた照明器具を提供することにある。
【課題を解決するための手段】
【０００６】
請求項１の発明は、ＬＥＤと、透明材料からなりＬＥＤからの光の照射方向においてＬＥＤと離間して配設されるパネルと、ＬＥＤ及びパネルが取着される器具本体と、パネルに保持されＬＥＤの照射光のうち少なくとも一部を所望の色温度の光に色変換する蛍光体とを備えたことを特徴とする。
【０００７】
請求項２の発明は、透明材料は、ガラスであることを特徴とする。
【０００８】
請求項３の発明は、パネルにおけるＬＥＤと反対側の表面に、光を偏光させる凹凸部を設けたことを特徴とする。
【０００９】
請求項４の発明は、パネルにおけるＬＥＤと反対側の表面に、光を偏光させる偏光シートを設けたことを特徴とする。ここに、偏光シートとは、ＬＥＤから照射された光の視野角を狭めるものをいう。
【００１０】
請求項５の発明は、器具本体においてパネルの取付部位以外の部位に、ＬＥＤの照射光の一部を外部に出射させるための光透過部を設けたことを特徴とする。
【発明の効果】
【００１１】
請求項１の発明によれば、パネルをＬＥＤと離間した位置に配設し、且つこのパネルに蛍光体を保持させることによって、蛍光体における変換ロスで発生する熱によるＬＥＤの温度上昇を招くことがなく、且つ蛍光体における変換ロスで発生する熱をパネルを介して外部に放熱できるので、放熱性を向上させてＬＥＤの出力低下を抑えることができ、光出力を向上させた照明器具を提供することができるという効果がある。また、ＬＥＤから照射された光を蛍光体で色変換する際に同時に光を拡散させることができるので、別途拡散部材を設ける必要がなく、二重に拡散されないので、照明器具の出力効率をさらに向上させることができるという効果があり、所定の光出力に対して器具本体を小型化することができるという効果がある。また、パネルを交換することで色温度を変更することができるので、所望の色温度を容易に得ることができるという効果がある。
【００１２】
請求項２の発明によれば、透明材料がガラスであるので、透明材料が樹脂の場合に比べて放熱性が向上するという効果がある。
【００１３】
請求項３の発明によれば、パネルの表面に光を偏光させる凹凸部を設けることによって、ＬＥＤから照射された光の視野角を狭めることができるので、人が容易に見える視野角内の輝度を低下させることができ、グレアを防止することができるという効果がある。
【００１４】
請求項４の発明によれば、パネルの表面に光を偏光させる偏光シートを設けることによって、ＬＥＤから照射された光の視野角を狭めることができるので、人が容易に見える視野角内の輝度を低下させることができ、グレアを防止することができるという効果がある。
【００１５】
請求項５の発明によれば、ＬＥＤから照射された光の一部を光透過部を通してそのまま外部に出射させることにより、色変換されてない光を照射することができ、演色性を高めることができるという効果がある。特に、青色光を照射するＬＥＤと蛍光体との組合せにより白色光を得る場合には、白色光に加えて青色光をそのまま照射することによって空間内にいる人をリラックスさせることができるとともに涼しさを演出することができ、さらに照明器具を小さく見せることができるという効果がある。
【発明を実施するための最良の形態】
【００１６】
（第１の実施形態）
第１の実施形態を図１〜図４及び図６に基づいて説明する。本実施形態の照明器具Ａは、図１に示すように、例えば天井面（図示せず）に固定された支持具１７、１７に取付けられて配置される。尚、以下の説明では特に断りがない場合、図１に示す向きにおいて上下左右の方向を規定し、図１の正面を前面という。
【００１７】
照明器具Ａは、図１及び図２に示すように、器具本体２１と、複数のＬＥＤ４が実装された基板２と、ＬＥＤ４から照射された光を透過させる透光パネル３と、透光パネル３に保持されＬＥＤ４から照射された光を色変換する蛍光膜（蛍光体）５と、器具本体２１に設けられ、ＬＥＤ４から照射された光の一部を外部に出射させる導光板（光透過部）１４、１５とを備えている。
【００１８】
まず、器具本体２１について説明する。器具本体２１は、上本体１と、枠体６と、導光板１４、１５と、中板１６とで構成され、上本体１は横長の矩形板状の本体部１ａを有し、本体部１ａの中央位置には上方に突出する突出部１ｂが一体に設けられている。この突出部１ｂの上面には上方に突出する複数の放熱フィンからなる放熱部１ｅが一体に設けられ、突出部１ｂの下側には基板２が収納される基板収納凹部１ｃが形成されている。また、本体部１ａの下面には、基板収納凹部１ｃの開口部の周りに取付ねじ（図示せず）を挿通させるための複数（図２では６個）の挿通部１ｄが一定間隔で下方に突設されている。
【００１９】
ここで、ＬＥＤ４について説明する。本照明器具Ａは、ＬＥＤ４として例えば青色波長の光を照射するＬＥＤを用い、ＬＥＤ４からの青色光の一部を蛍光膜５で黄色の光に変換し、青色光と黄色光を混色させて得た白色光を出力するものであり、複数のＬＥＤ４が一定の取付ピッチで基板２に実装されている。この基板２は、矩形板状の取付板２０に取付けられ、器具本体１の基板収納凹部１ｃに収納されている。尚、基板２は、支持具１７内に挿通された電源線（図示せず）を介して商用電源に電気的に接続され、各ＬＥＤ４に電源を供給している。
【００２０】
続けて、枠体６について説明する。枠体６は、横長の矩形板状に形成され、枠体６の中央には基板２の下側位置に、基板２と略同じ大きさの開口面積の開口部６ａが設けられており、枠体６の上面には器具本体１の各挿通部１ｄに挿通された取付ねじが螺合するねじ部（図示せず）が各挿通部１ｄに対応する部位にそれぞれ設けられている。
【００２１】
さらに、導光板１４、１５について説明する。導光板１４、１５は、例えばアクリル樹脂製であって、横長の矩形板状に形成され、導光板１４の中央位置には枠体６の開口部６ａと連通し開口部６ａよりも開口面積の大きい開口部１４ａが設けられている。また、導光板１５の中央位置には、枠体６の開口部６ａ及び導光板１４の開口部１４ａと連通し開口部１４ａよりも開口面積の大きい開口部１５ａが設けられ、横長の矩形板状の中板１６の中央位置には導光板１５の開口部１５ａと略同じ開口面積の開口部１６ａが設けられている。ここに、導光板とは、端面から入射した光を均一に面発光させるものをいう。
【００２２】
ここで、透光パネル３について図２及び図６に基づいて説明する。尚、図６は後述する第２の実施形態の要部詳細図であるが、本実施形態において透光パネル３は同様のものを用いているので、図６を参照して説明する。透光パネル３は、横長板状であって、例えば透明なガラスで形成されている。尚、透光パネル３をガラスで形成することで、樹脂で形成した場合に比べて放熱性が向上する。この透光パネル３の上面の外縁には、上方に突出する突出部３ａが全周に渡って一体に設けられ、突出部３ａの内側には蛍光体収納凹部３ｂが形成されている。この蛍光体収納凹部３ｂには、例えばＬＥＤ４から照射された青色光の一部を黄色光に色変換する蛍光体を塗布することで蛍光膜５が形成されている。尚、本実施形態では、蛍光体を塗布して蛍光膜５を形成しているが、透光パネル３に保持されるものであれば、シート状に形成された蛍光体を透光パネル３に密着させるようにしてもよい。この透光パネル３は、枠体６の開口部６ａを塞ぐようにして適宜の方法で枠体６の上側面に取着されている。
【００２３】
次に、照明器具Ａを組立てる手順について説明する。まず、基板２が取付けられた取付板２０をＬＥＤ４側を下方に向けた状態で上本体１の基板収納凹部１ｃに収納する。次に、上から導光板１４、中板１６、導光板１５、透光パネル３が取着された枠体６の順に配置し、取付ねじを上本体１の挿通部１ｄに挿通して枠体６のねじ部に螺合させると、照明器具Ａの組み立てが完了する。この状態において、透光パネル３は、基板２に実装された隣接するＬＥＤ４の取付ピッチと略同じ距離だけＬＥＤ４から離れた位置に配置されている。尚、ＬＥＤ４に対する透光パネル３の位置は、隣接するＬＥＤ４の取付ピッチと略同距離離すことが望ましいが、ＬＥＤ４から離れた位置に蛍光膜５を配置することでＬＥＤ４の光出力を高くすることができ、且つＬＥＤ４から照射された光を蛍光膜５で拡散させることでパネル面での輝度むらを抑えることができるので、ＬＥＤ４と透光パネル３との距離がＬＥＤ４の取付ピッチよりも小さくてもよく、照明器具Ａを薄くすることができる。
【００２４】
次に、照明器具Ａの動作について説明する。ＬＥＤ４を点灯させると、ＬＥＤ４から照射された青色光のうち透光パネル３に向かう光は、その一部が蛍光膜５で黄色光に色変換され、青色光との混色により得られた白色光が透光パネル３を透過して下方に照射される。また、導光板１４、１５に向かう青色光は、開口部１４ａ、１５ａの端面から導光板１４、１５内に入射し、反射を繰り返して導光板１４、１５の外側端面から青色光のまま均一に外部に照射される。
【００２５】
この照明器具Ａでは、透光パネル３をＬＥＤ４と離れた位置に配設し、且つこの透光パネル３に蛍光膜５を形成することによって、蛍光膜５における変換ロスで発生する熱によるＬＥＤ４の温度上昇を招くことがなく、且つ蛍光膜５における変換ロスで発生する熱を透光パネル３を介して外部に放熱できるので、放熱性を向上させてＬＥＤ４の出力低下を抑えることができ、光出力を向上させた照明器具Ａを提供することができる。また、ＬＥＤ４から照射された光の一部を蛍光膜５で黄色光に色変換する際に、同時に光を拡散させることができるので、別途拡散部材を設ける必要がなく、二重に拡散されないので、照明器具Ａの出力効率をさらに向上させることができ、所定の光出力に対して器具本体を小型化することができる。
【００２６】
さらに、ＬＥＤ４から照射された青色光の一部を導光板１４、１５を通してそのまま外部に出射させることにより、青色光を照射することができ、演色性を高めることができる。また、導光板１４、１５を通して青色光を外部に照射することによって空間内にいる人をリラックスさせることができるとともに涼しさを演出することができ、さらに照明器具Ａを小さく見せることができる。
【００２７】
次に、本実施形態の他の例を図３に基づいて説明する。図３に示す照明器具Ａは、透光パネル３と導光板１４のみが上本体１と枠体６の間に配置され、枠体６が取付ねじ１８を用いて上本体１に取付けられている。また、上下方向において基板２と導光板１４の間には、斜め上方に突設された反射板８が配置されている。それ以外の構成については図１に示す照明器具Ａと同様であり、同一の構成要素には同一の符号を付して説明は省略する。
【００２８】
ここで、この照明器具Ａの動作について説明する。ＬＥＤ４を点灯させると、ＬＥＤ４から照射された青色光のうち直接透光パネル３に向かう光及び反射板８で反射されて透光パネル３に向かう光は、その一部が蛍光膜５で黄色光に色変換され、青色光との混色により得られた白色光が透光パネル３を透過して下方に照射される。また、導光板１４に向かう青色光は、開口部１４ａの端面から導光板１４内に入射し、反射を繰り返して導光板１４の外側端面から青色光のまま均一に外部に照射される。
【００２９】
この照明器具Ａでは、基板２と導光板１４の間に反射板８を設け、透光パネル３に向かう光量を増加させることで、出力効率の低下を抑制することができる。また、用いる導光板を一枚とすることで照明器具Ａの厚みを薄くすることができる。
【００３０】
さらに、図４に示すように、導光板を用いずに上本体１と枠体６の間に開口部（光透過部）を設け、開口部を通して青色光を外部に照射するように構成してもよい。この照明器具Ａは、枠体６が挿通部１ｄの高さ分の間隔を空けた状態で上本体１に取付けられ、挿通部１ｄを除く全周に渡って開口部が形成されている。それ以外の構成は図１に示す照明器具Ａと同様であり、同一の構成要素には同一の符号を付して説明は省略する。
【００３１】
この照明器具Ａでは、ＬＥＤ４から照射された青色光を開口部を通して外部に照射することができるので、青色光を照射することができ、演色性を高めることができる。尚、上本体１の側面に、スリットや孔を設けて青色光を外部に照射させてもよい。
【００３２】
また、上本体１の上面に開口部を設けてもよく、蛍光膜５により反射された光が開口部を通して外部に照射される。尚、上方より漏れる光は、透光パネル３からの光よりも色温度の高い（青色寄りの）光となる。
【００３３】
（第２の実施形態）
第２の実施形態を図５及び図６に基づいて説明する。本実施形態の照明器具Ａは、図５に示すように天井材１１に設けた埋込孔１１ａに埋込配設される。尚、器具本体の取り付け以外の構成は第１の実施形態と同様であり、同一の構成要素には同一の符号を付して説明は省略する。
【００３４】
この照明器具Ａは、照明器具Ａは、器具本体２１と、複数のＬＥＤ４が実装された基板２と、ＬＥＤ４から照射された光を透過させる透光パネル３と、透光パネル３に保持されＬＥＤ４から照射された光を色変換する蛍光膜５とを備えている。
【００３５】
まず、器具本体２１について説明する。器具本体２１は、上本体１と、枠体６とで構成され、上本体１は薄板状に形成されており、上本体１の上面にはＬＥＤ４で発生する熱を放熱するための複数の放熱フィンからなる放熱部９、９が取付けられている。また、上本体１の下面には、基板２が取付板２０に保持された状態で取付けられている。さらに、上本体１の左右方向両端には、Ｌ字状の取付金具７が取付ねじ１９を用いてそれぞれ取付けられ、各取付金具７には取付ばね１０がそれぞれ取付けられている。
【００３６】
ここで、ＬＥＤ４について説明する。本照明器具Ａは、ＬＥＤ４として例えば青色波長の光を照射するＬＥＤを用い、ＬＥＤ４からの青色光の一部を蛍光膜５で黄色の光に色変換し、青色光と黄色光を混色させて出力するものであり、複数のＬＥＤ４が一定の取付ピッチで基板２に実装されている。この基板２は、ＬＥＤ４を実装した面が下向きとなるように取付板２０に保持された状態で上本体１の下面に取付けられている。
【００３７】
続けて、枠体６について説明する。枠体６は、基板２の下側位置に基板２と略同じ大きさの開口面積の開口部６ａが設けられ、枠体６の外縁には鍔部６ｂが一体に形成されており、下側から上本体１に取付けられている。また、上下方向においてこの枠体６と基板２の間には、斜め上方に傾斜する反射板８が配置されている。ここに、照明器具Ａは、上本体１側を埋込孔１１ａを通して天井裏に配置し、枠体６の鍔部６ｂと各取付ばね１０とで天井材１１を挟持させることで天井面に取付けられる。
【００３８】
次に、透光パネル３について図６に基づいて説明する。透光パネル３は、例えば透明なガラスで形成され、透光パネル３の上面の外縁には上方に突出する突出部３ａが全周に渡って一体に設けられており、突出部３ａの内側には蛍光体収納凹部３ｂが形成されている。この蛍光体収納凹部３ｂには、例えばＬＥＤ４から照射された青色光の一部を黄色光に色変換する蛍光体を塗布することで蛍光膜５が形成されている。この透光パネル３は、枠体６の開口部６ａを塞ぐようにして適宜の方法で枠体６の上側面に取着されている。
【００３９】
ここで、この照明器具Ａの動作について説明する。ＬＥＤ４を点灯させると、ＬＥＤ４から照射された青色光のうち直接透光パネル３に向かう光及び反射板８で反射して透光パネル３に向かう光は、その一部が蛍光膜５で黄色光に色変換され、青色光との混色により得られた白色光が透光パネル３を透過する。
【００４０】
（第３の実施形態）
第３の実施形態について図５及び図７〜図９に基づいて説明する。本実施形態では、第２の実施形態の照明器具Ａにおいて、人が容易に見える視野角内の輝度を低下させてグレアを防止するために、透光パネル３を透過する白色光を偏光させる凹凸部３ｃを透光パネル３の下面（表面）に設けている。それ以外の構成については第２の実施形態と同様であり、同一の構成要素には同一の符号を付して説明は省略する。
【００４１】
透光パネル３は、図７に示すように例えば透明なガラスで形成され、透光パネル３の上面の外縁には上方に突出する突出部３ａが全周に渡って一体に設けられており、突出部３ａの内側には蛍光体収納凹部３ｂが形成されている。この蛍光体収納凹部３ｂには、例えばＬＥＤ４から照射された青色光の一部を黄色光に色変換する蛍光体を塗布することで蛍光膜５が形成されている。また、透光パネル３の下面（表面）には、プリズムを構成する凹凸部３ｃが全面に渡って形成され、この凹凸部３ｃにより器具本体２１の長手方向（紙面に直交する方向）を法線方向とする平面内で透光パネル３を透過して外部に照射される光の視野角を狭めている。尚、透光パネル３をガラスで形成することに加え、表面に凹凸部３ｃを設けることで、蛍光膜５での変換ロスにより発生する熱をさらに効率よく放熱させることができる。
【００４２】
ここで、この照明器具Ａの動作について説明する。ＬＥＤ４を点灯させると、ＬＥＤ４から照射された青色光のうち直接透光パネル３に向かう光及び反射板８で反射して透光パネル３に向かう光は、その一部が蛍光膜５で黄色光に色変換され、青色光との混色により白色光が得られる。その後、白色光が透光パネル３の表面に到達すると、遮光角が所定角（例えば、３０°）以下の光は、透光パネル３を透過する際に表面に設けた凹凸部３ｃにより遮光され、それ以外の光は下方に照射される。従って、透光パネル３を透過して照射される光の視野角を狭めることができるので、人が容易に見える視野角内の輝度を低下させることができ、一方向（例えば、図５中の左右方向）から照明器具Ａを見た際のグレアを防止することができる。
【００４３】
尚、透光パネル３の下面（表面）に凹凸部３ｃを設ける代わりに、図８に示すように光を偏光させる偏光シート１２を透光パネル３の下面に設けてもよい。この場合も図７に示す照明器具Ａと同様に、例えば偏光シート１２の長手方向を法線方向とする平面内で透光パネル３を透過して照射される光の視野角を狭めることができるので、人が容易に見える視野角内の輝度を低下させることができ、一方向から照明器具Ａを見た際のグレアを防止することができる。
【００４４】
さらに、図９に示すように偏光軸が偏光シート１２の長手方向を法線方向とする平面と直交するように偏光シート１３を配置させてもよい。この場合、偏光シート１２で左右方向のグレアを防止することができ、偏光シート１３で偏光シート１３の短手方向を法線方向とする平面内でのグレアを防止することができるので、あらゆる方向から照明器具Ａを見た際のグレアを防止することができる。
【００４５】
また、図７に示す凹凸部３ｃの下側に、偏光軸が器具本体２１の長手方向を法線方向とする平面と直交するように偏光シート１２を設けてもよく、図９と同様にあらゆる方向から照明器具Ａを見た際のグレアを防止することができる。
【００４６】
尚、本実施形態では、遮光角が３０°の場合を例に説明したが、遮光角は本実施形態に限定されるものではない。従って、異なる遮光角を有する複数種類の偏光シート１２を用意し、設置場所等に応じて偏光シート１２を交換することで、設置状況に適した遮光を実現することができ、確実にグレアを防止することができる。
【００４７】
尚、第１の実施形態で説明した照明器具（天井から吊下げるタイプ）Ａの透光パネル３に光を偏光させる凹凸部３ｃや偏光シート１２、１３を設けてもよく、さらに第２、３の実施形態で説明した照明器具（天井埋め込みタイプ）Ａに導光板１４、１５や開口部等を設けてもよい。
【００４８】
ところで、上述の実施形態１〜３では、青色発光のＬＥＤを用い、蛍光体により黄色光に色変換された光と混色させることで白色光を得ているが、白色光を得る方法は本実施形態に限定されるものではなく、青色発光のＬＥＤと、赤・緑色の蛍光体とを組合わせ、青色光と赤色光と緑色光の混色により白色光を得るようにしてもよいし、紫外発光のＬＥＤとＲＧＢ蛍光体を組合わせて白色光を得るように構成してもよい。なお、青色発光のＬＥＤと蛍光体の組合せでは、青色光をそのまま照射させることができるものの、ＬＥＤが消灯した状態において透光パネル３の表面が黄色く見える。一方、紫外発光のＬＥＤと蛍光体の組合せでは白色であるため、違和感がないという利点がある。
【００４９】
さらに、各実施形態では、白色光を得る照明器具Ａを例に説明したが、白色光を得るものに限定されるものではなく、所望の色温度に応じてＬＥＤの発光色及び蛍光体を適宜選定すればよい。而して、異なる蛍光体を用いた複数種類の透光パネル３を用意し、用途に応じて透光パネル３を交換することで所望の色温度を容易に得ることができる。
【００５０】
さらに、透光パネル３の材料はガラスに限定されるものではなく、透明材料で光を透過させるものであればよい。
【図面の簡単な説明】
【００５１】
【図１】第１の実施形態の照明器具の断面図である。
【図２】同上の照明器具の分解斜視図である。
【図３】同上の他の照明器具の断面図である。
【図４】同上のさらに他の照明器具の断面図である。
【図５】第２の実施形態の照明器具の断面図である。
【図６】同上の要部詳細図である
【図７】第３の実施形態の照明器具の要部詳細図である。
【図８】同上の他の照明器具の要部詳細図である。
【図９】同上のさらに他の照明器具の要部詳細図である。
【符号の説明】
【００５２】
３    透光パネル
４    ＬＥＤ
５    蛍光膜（蛍光体）
２１  器具本体
Ａ    照明器具
【図１】
2008218238.tif 000003
【図２】
2008218238.tif 000004
【図３】
2008218238.tif 000005
【図４】
2008218238.tif 000006
【図５】
2008218238.tif 000007
【図６】
2008218238.tif 000008
【図７】
2008218238.tif 000009
【図８】
2008218238.tif 000010
【図９】
2008218238.tif 000011